(57)【特許請求の範囲】
【請求項１】
帯電させた無数の液滴を噴出する複数の静電噴霧部に対して高電圧発生部からの高電圧を供給するものであるとともに、
個々又は複数ごとの前記静電噴霧部に対して高電圧を供給するように並列分岐した配線に、漏電電流を制限するための保護抵抗が挿入されたものである、静電噴霧装置における高電圧供給回路であって、
母線と、該母線の一端に取り付けられた母線接続用プラグと、該母線の他端に取り付けられた母線接続用ジャックと、該母線の途中部に一端が接続された前記保護抵抗と、該保護抵抗の他端に接続された分岐線接続用プラグ又はジャックと、前記母線とともに配線された電源線により駆動され、前記保護抵抗の分岐線側の電圧が所定電圧よりも低下したことを検知して漏電の発生を表示する漏電センサとを備えた複数の分岐ユニットを含み、
該複数の分岐ユニットは、それらにおける隣接する一対の分岐ユニットの一方の前記母線接続用プラグと、同他方の前記母線接続用ジャックとが互いに接続されてなるデイジーチェーンを構成しており、
該デイジーチェーンの最後の分岐ユニットにおける母線接続用ジャック又はプラグが前記高電圧発生部に接続され、
それぞれの前記分岐線接続用プラグ又はジャックが個々又は複数ごとの前記静電噴霧部に接続された静電噴霧装置における高電圧供給回路。
【発明の詳細な説明】
【技術分野】
【０００１】
本発明は、静電気を利用して薬液等の液体を噴霧する静電噴霧装置における高電圧供給回路に関するものである。
【背景技術】
【０００２】
従来技術としては、特許文献１に記載された静電噴霧装置における高電圧発生装置を例示する。この静電噴霧装置は、噴霧ノズル６７から噴出される液滴を帯電させるための高電圧を電極６９に供給する高電圧発生装置５６を備えている。この高電圧発生装置５６は、図６に示すように構成されている。蓄電池５７の直流供給電気は発振回路８５で高周波に変調され、昇圧回路８６で昇電圧される。昇圧回路８６から再び直流に戻すために整流回路８７がある。また、万一に高電圧リークが発生すると高電圧発生装置５６の作動が停止する機能（以下「高電圧リーク停止機能」という。）を備えている。
【０００３】
【特許文献１】特開２００４−１２２０９１号公報（段落００３５、図２）
【発明の開示】
【発明が解決しようとする課題】
【０００４】
ところで、一般に、前記高電圧リーク停止機能は、誤作動を防止するために所定時間以上高電圧リーク状態が継続すると、高電圧発生を停止させるようになっており、極めて短時間ではあるが、その所定時間の間はリーク電流Ｉが流れる。そこで、このリーク電流Ｉの量を抑制するために、例えば、図７に示すように、高電圧発生装置５６は保護抵抗Ｒを介して高電圧を供給するように構成することが好ましい。ところが、特に、同図に示すような複数組の噴霧ノズル６７及び電極６９を備えた多頭口タイプの静電噴霧装置の場合、一つの電極６９で高電圧リークが発生すると、その電極にリーク電流Ｉとして全ての電極電流が集中的に流れ込むことになる。この場合のリーク電流Ｉは、たとえ保護抵抗Ｒを介しているとはいえ一組の噴霧ノズル６７及び電極６９を備えた単頭口タイプのものに比べて大きな量となる。このため、例えば、電極６９等に他の物体が接触することにより高電圧リークが発生したような場合、該他の物体に、この大きなリーク電流Ｉが流れてしまうという課題がある。また、リーク電流Ｉが流れると、高電圧リークが発生した電極６９のみならず、他の電極６９の電位も低下し、静電噴霧装置全体で静電機能が働かなくなるという課題がある。
【課題を解決するための手段】
【０００５】
上記課題を解決するために、本発明の静電噴霧装置における高電圧供給回路は、
帯電させた無数の液滴を噴出する複数の静電噴霧部に対して高電圧発生部からの高電圧を供給するものであるとともに、
個々又は複数ごとの前記静電噴霧部に対して高電圧を供給するように並列分岐した配線に、漏電電流を制限するための保護抵抗が挿入されたものである、静電噴霧装置における高電圧供給回路であって、
母線と、該母線の一端に取り付けられた母線接続用プラグと、該母線の他端に取り付けられた母線接続用ジャックと、該母線の途中部に一端が接続された前記保護抵抗と、該保護抵抗の他端に接続された分岐線接続用プラグ又はジャックと、前記母線とともに配線された電源線により駆動され、前記保護抵抗の分岐線側の電圧が所定電圧よりも低下したことを検知して漏電の発生を表示する漏電センサとを備えた複数の分岐ユニットを含み、
該複数の分岐ユニットは、それらにおける隣接する一対の分岐ユニットの一方の前記母線接続用プラグと、同他方の前記母線接続用ジャックとが互いに接続されてなるデイジーチェーンを構成しており、
該デイジーチェーンの最後の分岐ユニットにおける母線接続用ジャック又はプラグが前記高電圧発生部に接続され、
それぞれの前記分岐線接続用プラグ又はジャックが個々又は複数ごとの前記静電噴霧部に接続されている。
【０００６】
この構成によれば、個々又は複数ごとの前記静電噴霧部において漏電が発生しても、前記保護抵抗により、漏電電流が抑制されるとともに、漏電が発生していない静電噴霧部への影響を低減することができる。
また、前記分岐ユニットを備えているので、前記高電圧供給回路の接続、交換、拡張等の作業を簡単化することができる。
また、前記漏電センサを備えているので、漏電が発生している、個々又は複数ごとの前記静電噴霧部を容易に特定することができる。
【発明の効果】
【００１１】
本発明に係る静電噴霧装置における高電圧供給回路によれば、一部の静電噴霧部で漏電が発生しても、その漏電電流を抑制することができるとともに、漏電が発生していない他の静電噴霧部への影響を低減することができるという優れた効果を奏する。
【発明を実施するための最良の形態】
【００１２】
図１〜図３は本発明を具体化した第一実施形態の静電噴霧装置１における高電圧供給回路２を示している。この静電噴霧装置１は、図１及び図２に示すように、高電圧を発生する高電圧発生部３と、該高電圧発生部３に高電圧供給回路２を介して個々に並列接続され、該高電圧により帯電させた無数の液滴Ｄからなる噴霧Ｓを噴出する複数の静電噴霧部４とを備えている。
【００１３】
高電圧発生部３は、本例では蓄電池５を電源とする高電圧発生装置６が、漏電電流を制限するための保護抵抗Ｒａを介して高電圧供給回路２に接続されるように構成されている。本例の高電圧発生装置６は、＋６ＫＶの電圧を発生するようになっている。また、高電圧供給回路２には、母線接続用プラグ１１を介して接続されるようになっている。
【００１４】
高電圧供給回路２は、図１及び図２に示すように、高電圧発生部３に接続された母線２ａと、個々の静電噴霧部４に接続された分岐線２ｂと、保護抵抗Ｒｂを介して母線２ａに対して分岐線２ｂを接続する分岐ユニット１０とを備えている。このように、個々の静電噴霧部４に対して高電圧を供給するように並列分岐した配線としての分岐線２ｂに漏電電流を制限するための保護抵抗Ｒｂが挿入されている。
【００１５】
分岐ユニット１０は、図３に示すように、母線２ａと、該母線２ａの一端に取り付けられた母線接続用プラグ１１と、該母線２ａの他端に取り付けられた母線接続用ジャック１２と、該母線２ａの途中部に一端が接続された保護抵抗Ｒｂと、該保護抵抗Ｒｂの他端に接続された分岐線接続用プラグ１３とを備えるとともに、母線接続用プラグ１１、保護抵抗Ｒｂ、及び分岐線接続用プラグ１３がケース体１５に収容されてなっている。この分岐ユニット１０は、各静電噴霧部４に対応して複数設けられ、１台目の分岐ユニット１０の母線接続用ジャック１２を２台目の分岐ユニット１０の母線接続用プラグ１１に、２台目の分岐ユニット１０の母線接続用ジャック１２を３台目の分岐ユニット１０の母線接続用プラグ１１に…、という具合につなぐことにより、デイジーチェーンで接続するようになっている。そして、最後の分岐ユニット１０の母線接続用ジャック１２を高電圧発生部３の母線接続用プラグ１１につなぐようになっている。また、分岐ユニット１０の分岐線接続用プラグ１３には、静電噴霧部４に接続された分岐線２ｂがその先端に取り付けられた分岐線接続用ジャック１４を介して接続されるようになっている。いうまでもないが、本例に対し、プラグとジャックとを互いに入れ換えた構成を採用することもできる。
【００１６】
静電噴霧部４は、図２に示すように、作物の病気や虫の防除用薬液を無数の液滴Ｄからなる噴霧Ｓにして噴出するように構成された噴霧ノズル部２０と、該噴霧ノズル部２０に加圧された薬液を供給する噴管２１と、液滴Ｄの拡散範囲の外側に近接するように配設された電極としての環状電極２３と、噴霧ノズル部２０に対して環状電極２３を支持する、電気絶縁性を有する電極ホルダ２４とを備えており、環状電極２３には分岐線２ｂが接続されている。本例では、噴管２１が導電性材料からなるとともに接地（アース）されており、これにより薬液が接地されるようになっている。薬液を接地する態様としては、これに限定されず、薬液に接する他の導電性部位（噴霧ノズル部２０等）や薬液中に浸けられた電極等を接地することによる態様を例示する。
【００１７】
以上のように構成された本例の高電圧供給回路２によれば、個々の静電噴霧部４に対して高電圧を供給するように並列分岐した配線としての分岐線２ｂに漏電電流を制限するための保護抵抗Ｒｂが挿入されているので、個々の静電噴霧部４において漏電が発生しても、保護抵抗Ｒｂにより、漏電電流が抑制されるとともに、漏電が発生していない静電噴霧部４への影響を低減することができる。
【００１８】
また、高電圧供給回路２は、高電圧発生部３に接続された母線２ａと、個々の静電噴霧部４に接続された分岐線２ｂと、保護抵抗Ｒｂを介して母線２ａに対して分岐線２ｂを接続する分岐ユニット１０とを備えているので、該高電圧供給回路２の接続、交換、拡張等の作業を簡単化することができる。
【００１９】
次に、図４及び図５は本発明を具体化した第二実施形態を示している。この静電噴霧装置３１における高電圧供給回路３２は、以下に示す点において、主に第一実施形態と相違している。従って、同実施形態と共通する部分については、同一符号を付することにより重複説明を省く。
【００２０】
本例の高電圧供給回路３２における分岐ユニット３３は、本例では分岐線２ｂ側における漏電の発生を検知する漏電センサ３４を備えている。この漏電センサ３４は、高電圧供給回路３２の母線２ａとともに配線された電源線３５により駆動され、保護抵抗Ｒｂの分岐線２ｂ側の電圧が所定電圧よりも低下したことを検知して、漏電が発生したことを表示するためのランプ３６を点灯するように構成されている。
【００２１】
本例の高電圧供給回路３２によれば、第一実施形態と同様の効果に加え、漏電が発生している、個々の静電噴霧部４を容易に特定することができる。
【００２２】
なお、本発明は前記実施形態に限定されるものではなく、例えば以下のように、発明の趣旨から逸脱しない範囲で適宜変更して具体化することもできる。
（１）静電噴霧部４を複数ごとにグループ化し、該グループごとの静電噴霧部４に対して並列分岐した配線に漏電電流を制限するための保護抵抗Ｒｂを挿入するように構成すること。
（２）高電圧発生部３における保護抵抗Ｒａを省くこと。
【図面の簡単な説明】
【００２３】
【図１】本発明を具体化した第一実施形態に係る高電圧供給回路を備えた静電噴霧装置の全体構成を示す図である。
【図２】同静電噴霧装置における高電圧供給回路の回路図である。
【図３】同静電噴霧装置における分岐ユニットの回路図である。
【図４】本発明を具体化した第二実施形態に係る高電圧供給回路を備えた静電噴霧装置の全体構成を示す図である。
【図５】同静電噴霧装置における分岐ユニットの回路図である。
【図６】背景技術としての従来の静電噴霧装置における高電圧発生装置の構成を示すブロック図である。
【図７】同静電噴霧装置が例えば多頭口タイプに構成されている場合に高電圧リークが発生したときの状態を示す回路図である。
【符号の説明】
【００２４】
１    静電噴霧装置
２    高電圧供給回路
２ａ  母線
２ｂ  分岐線
３    高電圧発生部
４    静電噴霧部
５    蓄電池
６    高電圧発生装置
１０    分岐ユニット
１１    母線接続用プラグ
１２    母線接続用ジャック
１３    分岐線接続用プラグ
１４    分岐線接続用ジャック
１５    ケース体
２０    噴霧ノズル部
２１    噴管
２３    環状電極
２４    電極ホルダ
３１    静電噴霧装置
３２    高電圧供給回路
３３    分岐ユニット
３４    漏電センサ
３５    電源線
３６    ランプ
Ｒａ  保護抵抗
Ｒｂ  保護抵抗
Ｄ    液滴
Ｓ    噴霧
【図１】
0004710066.tif 000002
【図２】
0004710066.tif 000003
【図３】
0004710066.tif 000004
【図４】
0004710066.tif 000005
【図５】
0004710066.tif 000006
【図６】
0004710066.tif 000007
【図７】
0004710066.tif 000008